(57)【要約】【課題】映像と音楽を個別に楽しめる音楽映像再生装置を提供する。【解決手段】作品ＩＤと作品実体と複数の楽曲ＩＤの配列の対応付けを格納した映像作品データベースと、楽曲ＩＤと作品ＩＤと音楽データと曲名の対応付けを格納した楽曲データベースと、指定の楽曲ＩＤに対応する作品ＩＤと音楽データを楽曲データベースから抽出する手段と、抽出した作品ＩＤの作品実体と楽曲ＩＤ配列を作品データベースから抽出して楽曲ＩＤ配列における指定の楽曲ＩＤの順番に基づいて作品実体の再生開始位置を決定する手段と、抽出した音楽データの再生出力手段と、作品実体を決定した再生開始位置から再生出力する手段と、音楽データの再生出力が終了する前に楽曲ＩＤ配列における次の順番の楽曲ＩＤを抽出してその曲名とリクエスト入力を促す案内を表示する手段と、当該案内に応じてリクエスト入力があると抽出した次の楽曲ＩＤを再生対象とする手段とを備えている。【選択図】図３
2008225379.tif 000002
【特許請求の範囲】
【請求項１】
映像作品データベースと、楽曲データベースと、制御手段と、入力手段と、映像出力手段と、音響出力手段とを備えた音楽映像再生装置であって、
映像作品データベースは、作品ごとに、作品ＩＤと、作品実体と、複数の楽曲ＩＤの配列とを対応付けして格納し、
楽曲データベースは、楽曲ごとに、楽曲ＩＤと、作品ＩＤと、音楽データと、曲名を対応付けして格納し、
制御手段は、再生対象として楽曲ＩＤが指定された際、第１〜第５処理を行い、
第１処理は、指定された楽曲ＩＤに該当する作品ＩＤと音楽データを楽曲データベースから抽出し、
第２処理は、第１処理で抽出した作品ＩＤに該当する作品実体と楽曲ＩＤ配列を作品データベースから抽出するとともに、当該楽曲ＩＤ配列における指定された楽曲ＩＤの順番に基づいて作品実体の再生開始位置を決定し、
第３処理は、第１処理で抽出した音楽データを音響出力手段により再生出力させるとともに、第２処理で抽出した作品実体を第２処理で決定した再生開始位置から映像出力手段により再生出力させ、
第４処理は、第３処理の音楽データ再生処理が終了する前に、第２処理で抽出した楽曲ＩＤ配列における指定された楽曲ＩＤの次の順番の楽曲ＩＤを抽出し、その曲名を表示してリクエスト入力を促し、
第５処理は、第４処理にてリクエスト入力を受け付けた際、表示した曲名に該当する楽曲ＩＤを次の再生対象とする
音楽映像再生装置。
【発明の詳細な説明】
【技術分野】
【０００１】
この発明は、カラオケ装置など、利用者指定した楽曲を演奏するとともに、その演奏中に映像作品を再生する音楽映像再生装置に関する。
【背景技術】
【０００２】
音楽映像再生装置として周知のカラオケ装置は、利用者指定した楽曲を演奏するとともに、その演奏中に歌詞字幕を動画（背景映像）にスーパーインポーズして表示出力する。背景映像は、１つの楽曲について一対一で用意されている場合もあるし、短時間分の映像（素材映像）を多数用意しておき、１楽曲の演奏中に複数の映像を順次再生してつなぎ合わせている場合もある。
【０００３】
いずれの場合でも、背景映像は楽曲の雰囲気に合うような映像となるように作成される。一対一映像は、楽曲ごとに作成され、楽曲の雰囲気に合致するストーリー性のある映像であったり、原曲のアーティストによるライブ映像などであったりする。楽曲ごとにつなぎ合わせる素材映像とその再生順番を指定した台本データを作成して用意しておき、カラオケ装置は、その台本データに基づいて素材映像を楽曲演奏中に順次再生する。この場合も、楽曲の雰囲気にあう素材映像を選択して台本データを作成しておく。特許第２９７５５３５号公報には、楽曲と素材映像にーワードを対応付けさせておき、ある楽曲がリクエストされると、その楽曲のキーワードに一致する素材映像を自動選択して編集するカラオケ装置について記載されている。
【発明の開示】
【発明が解決しようとする課題】
【０００４】
ところで、カラオケの場では歌唱していない人は、歌唱者と一緒に唄ったりリズムを取ったりしないかぎり、他の同伴者と雑談をしているか、歌詞の背景映像をただ漫然とみていたりするだけである。素材映像をつなぎ合わせる方式では、同じ素材映像を使い回しているため、異なる楽曲を演奏させた場合でも同じ映像が再生される可能性がある。一つの楽曲に対して一対一の映像を再生する場合であっても、いつも同じ仲間同士でカラオケをすれば、同じ楽曲を演奏する可能性が高く、何度も同じ映像をみることになり、飽きてしまう。したがって「音楽映像再生装置」とは言っても、映像はあくまでも付属的な要素でしかない場合が多い。
【０００５】
そこで本発明者らは、音楽映像再生装置の利用者に対し、映像と音楽とを切り離し、一組の利用者の中に映像自体を楽しむ人と、音楽を楽しむ人とを共存させることを思いついた。もちろん、音楽再生装置である以上、継続的に楽曲演奏を行わせるようにすることも必要となる。また、キャンペーンなどにより、同じ歌手の曲をより多く演奏させたい場合など、音楽映像再生装置の管理者側の都合で、特定の複数の楽曲を演奏させたい場合もある。そして、特定の複数の楽曲を再生することを前提とした場合に、その複数の楽曲演奏時に限って趣向を凝らした映像が見られるようにすれば、利用者は、その複数の楽曲を演奏することに自然と案内されるはずである。あるいは、趣向を凝らした映像を見るために継続的に楽曲を演奏させるはずである。本発明は、このようなことを考えながら創作されたものである。
【課題を解決するための手段】
【０００６】
本発明は、以下の事項（１）〜（９）によって特定される映像音楽再生装置である。  
（１）映像作品データベースと、楽曲データベースと、制御手段と、入力手段と、映像出力手段と、音響出力手段とを備えた音楽映像再生装置であること
（２）映像作品データベースは、作品ごとに、作品ＩＤと、作品実体と、複数の楽曲ＩＤの配列とを対応付けして格納すること
（３）楽曲データベースは、楽曲ごとに、楽曲ＩＤと、作品ＩＤと、音楽データと、曲名を対応付けして格納すること
（４）制御手段は、再生対象として楽曲ＩＤが指定された際、第１〜第５処理を行うこと
（５）第１処理は、指定された楽曲ＩＤに該当する作品ＩＤと音楽データを楽曲データベースから抽出すること
（６）第２処理は、第１処理で抽出した作品ＩＤに該当する作品実体と楽曲ＩＤ配列を作品データベースから抽出するとともに、当該楽曲ＩＤ配列における指定された楽曲ＩＤの順番に基づいて作品実体の再生開始位置を決定すること
（７）第３処理は、第１処理で抽出した音楽データを音響出力手段により再生出力させるとともに、第２処理で抽出した作品実体を第２処理で決定した再生開始位置から映像出力手段により再生出力させること
（８）第４処理は、第３処理の音楽データ再生処理が終了する前に、第２処理で抽出した楽曲ＩＤ配列における指定された楽曲ＩＤの次の順番の楽曲ＩＤを抽出し、その曲名を表示してリクエスト入力を促すこと
（９）第５処理は、第４処理にてリクエスト入力を受け付けた際、表示した曲名に該当する楽曲ＩＤを次の再生対象とすること
【発明の効果】
【０００７】
本発明の音楽映像再生装置によれば、特定の複数の楽曲を順次演奏させると長時間分の映像作品を全て見ることができる。それによって、楽曲演奏を継続させながら、同じ音楽映像再生装置を使う一組の利用者の中に、映像だけを楽しむ人と音楽だけを楽しむ人とを共存させることができる。
【発明を実施するための最良の形態】
【０００８】
＝＝＝音楽映像再生装置に基本的な構成と通常動作＝＝＝
本発明の音楽映像再生装置の一実施形態としてカラオケ装置を挙げる。図１にカラオケ装置の機能ブロック構成を示した。カラオケ装置１は、周知の通信カラオケシステムの演奏端末とほぼ同様のハードウエア構成となっている。中央制御部１１は、各周辺構成部を制御してカラオケ装置１を統括し、ハードディスク装置１２には、楽曲データベースとして、多数のカラオケ楽曲について、伴奏音楽の起源となる所定形式（ＭＩＤＩ形式、ＭＰ３形式など）の伴奏音楽データ、歌詞画像の生成起源となる歌詞描出データ、曲名やアーティスト名などの目次情報などを含む各種データを楽曲ＩＤに対応付けして格納している。また、ハードディスク装置１２には、多数の素材映像に対応する所定形式（ＭＰＥＧ２形式など）の多数の動画データファイルがかくのうされており、動画データファイルの処理シーケンス（処理すべき動画データファイルの識別子と処理順番など）を規定した台本データも楽曲データベースに含まれている。
【０００９】
カラオケ装置１には選曲装置３０が付属し、選曲装置３０は、利用者により指定された
カラオケ楽曲の楽曲ＩＤをカラオケ装置１に転送して演奏予約させる。具体的には、カラオケ装置１はネットワークインタフェース２２を介してＬＡＮ４０に接続し、選曲装置３０は無線ＬＡＮインタフェースを備え、ＬＡＮ４０に接続されている無線アクセスポイント５０を介してＬＡＮ４０に接続するように構成されている。それによって中央制御部１１は、ネットワークインタフェース２２を介して選曲装置３０と通信する。またカラオケ装置１の本体には、利用者入力を受け付けるためのキーなどを備えた操作パネル１４が配設され、操作パネル１４に入力された操作入力情報は、操作制御部１３を介して中央制御部１１に転送される。
【００１０】
選曲装置３０は、タッチパネルを主体としたユーザインタフェースを備えたタブレットコンピュータであり、カラオケ楽曲についての曲名やアーティスト名を楽曲番号に対応付けして集約した索引データベースを記憶している。そして、利用者入力よるクエリーを受け付けて楽曲を検索し、最終的に特定されたカラオケ楽曲の楽曲番号をＬＡＮ４０を介してカラオケ装置１に転送する。
【００１１】
中央制御部１１は、選曲装置３０や操作パネル１４に入力された楽曲番号を受け付けると、その楽曲番号を内部のＲＡＭに格納して演奏処理の待ち行列で管理する。そして、待ち行列から楽曲番号を順次取り出し、該当のカラオケデータをハードディスク装置１２より読み出し、このカラオケデータ中の伴奏音楽データを音声信号生成部１５に転送する。音声信号生成部１５は、ＭＩＤＩデータに基づいて楽音を発生するシンセサイザを内蔵するとともに、各種符号化音声データ（ＭＰ３形式、ＡＤＰＣＭ形式など）の復号機能を備え、転送されてきた伴奏音楽データを処理して伴奏音楽の音声信号を生成する。そしてミキシングアンプ１９は、伴奏音楽とマイクロホン２１に入力された歌声音声とを混合・増幅してスピーカ２０より音響出力する。
【００１２】
一方、歌詞描出データについては、伴奏音楽に同期して歌唱すべき箇所が色変わりする歌詞画像をビデオＲＡＭ１６に順次ビットマップ展開していく。また、台本データに基づいて所定の動画データファイルを所定の順番で映像制御部１７に順次転送する。映像制御部１７は動画データファイルを動画映像に復号し、その動画映像を背景映像として歌詞画像をスーパーインポーズ処理してディスプレイ１８に表示出力する。
【００１３】
＝＝＝映像作品データベース＝＝＝
ハードディスク装置１２には、素材映像の他に、１曲分の演奏時間以上の時間分の映像が収録された映像作品の動画データファイルも格納されており、カラオケ装置１は、１楽曲演奏するごとにその長時間の映像作品の一部を背景映像として表示し、利用者がある楽曲の演奏時に表示された映像作品の一部を見た後に、特定の楽曲をさらに演奏すると、先に見た映像作品のつづきを見ることができる映像作品つづき再生機能を備えている。そしてハードディスク装置１２には、映像作品つづき再生機能を実現するための映像作品データベースが格納されている。
【００１４】
図２に映像作品データベースの概略構造を示した。映像作品データベース１００は、個々の映像作品の識別子となる作品ＩＤ１０１に映像作品の実体となる動画データファイル（映像作品ファイル）１０２と、楽曲ＩＤ配列１０３とを対応付けしている。なお、ある作品ＩＤの映像作品にある楽曲ＩＤの配列が対応付けされていれば、楽曲データベースにおいても、その配列に含まれる各楽曲ＩＤに当該作品ＩＤが対応付けされている。
【００１５】
＝＝＝映像作品つづき再生機能＝＝＝
図３に映像作品つづき再生機能に関わる情報処理の流れを示し、図４（Ａ）（Ｂ）につづき再生機能の起動中にディスプレイ１８に表示される画面の遷移を示した。なお本実施例では、作品ＩＤが対応付けされている楽曲（つづき映像楽曲）については、その楽曲演奏に際し、利用者入力により、台本データに基づく背景映像と作品ＩＤに基づく背景映像とを選択できるようにしている。具体的には、カラオケ装置１は、演奏対象となる楽曲ＩＤを待ち行列から取り出した際、その楽曲ＩＤに作品ＩＤが対応付けされている場合、その楽曲演奏を開始する前に、映像作品つづき再生機能の説明と当該機能を利用するか否かを選択するための操作方法とを記載した案内画面（図４Ａ）をディスプレイ１８に表示する（ｓ１，ｓ２→ｓ３）。そして、利用する旨の操作がなされると、映像作品つづき再生機能を起動する。利用しない旨が選択された場合には、上述した通常の楽曲演奏動作に移行する（Ｓ４→ｓ２１）。
【００１６】
ここでは、映像作品つづき再生機能を利用する旨が選択されたものとする。中央制御部１１は、当該選択指示を受け付けると、演奏対象楽曲の楽曲ＩＤに対応付けされている作品ＩＤに該当する映像作品を映像作品データベースより取り出し（Ｓ４→ｓ５）、楽曲ＩＤ配列を取得するとともに（ｓ６）、演奏対象楽曲の楽曲ＩＤが当該配列における順番を特定する（ｓ７）。そして、映像作品を楽曲演奏時に再生出力する際、当該順番に基づいてその再生開始位置（ｔ）を決定する（ｓ８〜ｓ１２）。本実施例では、映像作品ファイルの映像収録時間（総再生時間）Ｔを取得する（ｓ８）。そして、総再生時間Ｔの先頭からの再生経過時間を再生開始位置ｔとし、その再生開始位置ｔを、楽曲ＩＤ配列に含まれる楽曲ＩＤの数Ｎと、当該配列における演奏対象楽曲の順番ｋと、映像作品の総再生時間Ｔとに基づいて決定している。
【００１７】
図５に、ある映像作品における楽曲ＩＤ配列と当該配列に含まれる楽曲（Ｍk：k＝1,2,3…）の演奏時間（ｔk）と総演奏時間（ｔ）の関係を示した。図６（Ａ）〜（Ｆ）に、図５に示した映像作品を映像作品つづき再生機能によって表示する際の再生開始位置と映像作品の再生時間との関係を示した。この映像作品には、５つの楽曲ＩＤを含む楽曲ＩＤ配列が対応付けされている。そして、当該配列に含まれる各楽曲の総演奏時間ｔと、各楽曲の演奏時間（ｔk：k＝1〜5）とが設定されている。また映像作品データベースは、各映像作品について、楽曲ＩＤ配列に含まれる各楽曲ＩＤの楽曲の総演奏時間ｔが必ず映像作品の総再生時間Ｔより長い時間（Ｔ≦ｔ）で、かつ、各楽曲の演奏時間ｔkは、必ず、Ｔ／Ｎより長くなるように意図して作成されているものとする。すなわち、当該映像作品１１０については、ｔk≧Ｔ／Ｎ＝３分となるように設定されている。そしてここでは、演奏対象楽曲の３番目（k＝3）の楽曲が演奏対象曲になったとする。
【００１８】
中央制御部１１は、まず、楽曲ＩＤ配列における順番（k＝3）、あるいはその楽曲ＩＤを映像作品つづき再生機能の起動開始情報として記憶する（ｓ９）。そして、映像作品ファイルを調査し、総再生時間Ｔを楽曲ＩＤ配列に含まれる楽曲ＩＤの数Ｎで等分（Ｔ／Ｎ）する（ｓ１０，ｓ１１）。この例では、３分ごとに等分されて、再生開始時点Ｔ1（０分）と各等分時点Ｔ2（３分）、Ｔ3（６分）、Ｔ4（９分）、Ｔ5（１２分）のいずれかが再生開始位置となる。再生終了位置はＴ（１５分）となる。また、３番目の楽曲ＩＤが演奏対象曲なので、Ｔ3が再生開始位置となる（図６Ａ）。
【００１９】
中央制御部１１は、演奏対象楽曲の演奏処理を開始するとともに、映像作品ファイルを映像制御部１７に転送し、Ｔ3のデータ位置から映像作品ファイルを復号させ、その復号映像に歌詞画像をスーパーインポーズ処理させる（ｓ１３）。当該演奏対象楽曲の演奏時間は、５分であり、映像作品は、Ｔ3の位置から再生され、Ｔ4を経過して２分後、すなわち、映像作品の再生先頭時点Ｔ1から１１分経過後の時点で再生を終了する。
【００２０】
中央制御部１１は、つづき映像作品の再生とともに楽曲演奏を終了させると、楽曲ＩＤ配列の次の楽曲ＩＤが起動開始情報に該当するか否かを調査する。また、次の楽曲ＩＤが存在するか否かを調査する。すなわち、演奏を終了した楽曲が楽曲ＩＤ配列の最後の楽曲に該当するか否かを調査する。ここでは、そのどちらにも該当しない。
【００２１】
つぎに中央制御部１１は、映像作品つづき再生機能を継続させるための操作方法などを含む案内画面（図４Ｂ）を表示する処理を実行する（ｓ１４→ｓ１５，ｓ１６→ｓ１８→ｓ１９）。当該画面には、先に取得した楽曲ＩＤ配列において演奏終了楽曲の次の楽曲ＩＤ、その曲名とアーティスト名、その次曲を演奏すると映像作品のつづきを見ることができる旨、および、次曲を演奏対象楽曲にするための操作方法などが含まれている。利用者が当該画面の操作に従って楽曲ＩＤ配列に従った楽曲を演奏対象曲に指定すると、中央制御部１１は、待ち行列にある楽曲ＩＤを無視し、楽曲ＩＤ配列の４番目の楽曲を演奏対象楽曲として、当該楽曲の演奏時に映像作品つづき再生機能による映像作品ファイルの再生処理を実行する（ｓ２０→ｓ１２）。利用者入力により映像作品つづき機能の継続が指示されなければ、通常の演奏動作に移行する（ｓ２０→ｓ２１）。ここでは、映像作品つづき機能の継続が指示されたものとし、中央制御部１１は、Ｔ4から映像作品を再生する処理を実行し、楽曲ＩＤ配列における４番目の楽曲の演奏時間である４分間、映像作品が表示される。すなわち、１３分経過後の位置まで再生される（図６Ｃ）。
【００２２】
次に、楽曲ＩＤ配列の５番目の楽曲を演奏する際、Ｔ5の位置から映像作品の再生を開始する。しかし、この楽曲の演奏時間は５分であり、演奏の途中で映像作品を最後まで再生してしまうことになる。本実施例では、このように演奏の途中で映像作品の再生終了位置Ｔに達してしまう場合、映像作品の先頭Ｔ1に戻って再生を再開するようにしている（図６Ｄ）。この例では、Ｔ1から２分経過した時点で楽曲演奏と映像作品の再生が終わる。
【００２３】
ここで、楽曲ＩＤ配列の最後の楽曲が演奏されたことになり、中央制御部１１は、配列の最後の楽曲を演奏すると、配列の先頭の楽曲ＩＤを演奏処理対象とする（ｓ１６→ｓ１７）。それによって、楽曲Ｍ1が演奏されるとともにＴ1から映像作品が再生される（図６Ｅ）。そしてＴ2から映像作品を再生して楽曲Ｍ2を演奏すると（図６Ｆ）、起動開始情報としてその次の楽曲Ｍ3が記憶されているので、楽曲Ｍ2の演奏終了とともに映像作品つづき再生機能を終了させ、通常の楽曲演奏動作や楽曲の演奏予約を受け付ける処理に移行する（ｓ１８→ｓ２１）。
【００２４】
＝＝＝再生開始位置の決定について＝＝＝
再生開始位置の決定処理のアルゴリズムは、上記実施例に限らず、例えば、楽曲ＩＤ配列に含まれる楽曲の総演奏時間における個々の楽曲の演奏時間の割合を映像作品の総再生時間に対する各再生開始位置間の時間に一致させるようにしてもよい。図７に当該実施形態の概略図を示した。上記図５に示した映像作品１１０を再生する場合、総演奏時間ｔ＝２１分であり、総再生時間Ｔ＝１５分である。各楽曲の演奏時間ｔk（k=１〜５）は、配列の先頭から、それぞれｔ1＝３分、ｔ2＝４分、ｔ3＝５分、ｔ4＝４分、ｔ5＝５分である。したがって、楽曲Ｍkの演奏時における映像作品の再生開始位置Ｔkと、Ｍ（k+1）の演奏時における再生開始位置Ｔ（k+1）との間隔の時間をΔＴkとすると、
ΔＴk＝Ｔ×ｔk／ｔ
となり、各楽曲Ｍkの演奏時における映像作品再生位置Ｔkは、
Ｔk＝Ｔk＋ΔＴ（k-1）
となる。k＝１の場合はΔＴ0＝０分となる。もちろん、映像作品データベースにおいて、楽曲ＩＤ配列の各楽曲ＩＤに再生開始位置をあらかじめ対応付けしておくことも考えられる。
【００２５】
＝＝＝映像作品の再生について＝＝＝
上記実施例では、映像作品が最後まで再生されると再生位置が先頭に戻るようになっていたが、先頭に戻らず、楽曲演奏の途中でも映像作品が最後になれば、その再生を終了させ、残りの演奏時間に適当な素材映像を表示したり、映像作品を最後まで再生した旨を表示したりしてもよい。
【００２６】
また、映像作品つづき再生機能の起動時に楽曲ＩＤ配列の先頭以外の楽曲を演奏し、そのまま映像作品つづき再生機能を継続させて配列の最後の楽曲を演奏した時点で、配列の先頭の楽曲についての案内をせず、映像作品を最後まで再生した旨を表示してもよい。もちろん、楽曲の演奏時間が長ければ、映像作品の最後を再生した時点で演奏されている楽曲が配列の最後の楽曲であるとは限らない。このような場合でも映像作品を最後まで再生した旨を表示してもよい。
【００２７】
映像作品つづき再生機能の起動時に必ず映像作品が先頭から再生されるようにしてもよい。そのためには、楽曲ＩＤ配列には、楽曲ＩＤの前後関係のみを規定しておけばよい。そして中央制御部は、ある楽曲ＩＤを待ち行列から取り出した際、その楽曲ＩＤに作品ＩＤが対応付けされていれば、当該楽曲ＩＤを対応する映像作品の楽曲ＩＤ配列の先頭にする。例えば、楽曲ＩＤ配列に含まれる楽曲がＡ〜Ｅの５曲で、配列における各曲の前後関係がＡＢＣＤＥである場合に、最初にＣの楽曲が演奏対象になると、楽曲ＩＤ配列をＣＤＥＡＢの順に変更する。それによって、ある映像作品を最初に見るときは必ず先頭から再生されるようになる。
【００２８】
＝＝＝同じ映像作品の再生機会について＝＝＝
同じ利用者によってカラオケ装置が利用開始されてから終了されるまでの使用期間内に同じ楽曲が複数回演奏予約されることもある。このような場合、一度再生された映像作品をもう一度再生することになる。このような場合に対応して、使用期間内に同じ映像作品を再生しないようにしてもよい。例えば、カラオケ店舗の店員などがカラオケ装置に所定の操作を行い、新規の利用者が使用を開始する旨を入力する。中央制御部１１は、上記使用開始の旨の操作を受け付けて次に同じ操作を受け付けるまでを使用期間とし、その使用期間内に映像作品を再生する毎に、どの作品ＩＤのどの楽曲ＩＤ配列の何番目の楽曲を演奏してどの映像作品をどの再生開始位置から再生したのかを作品再生履歴として記録する。そして、前記使用開始の旨の操作を受け付けるとそれまでの作品再生履歴を消去する。
【００２９】
中央制御部１１は、使用期間内において、随時記録している作品再生履歴と演奏対象の楽曲とを比較し、最初から最後まで一通り再生した映像作品については、映像作品つづき再生機能によってその映像作品を再生しないようにする。あるいは、演奏対象楽曲を演奏する際に、映像作品つづき再生機能によって一度再生した映像作品をもう一度再生するかどうかを問う案内画面を表示してもよい。
【００３０】
また、映像作品つづき再生機能を起動し、ある映像作品を楽曲ＩＤ配列に従って再生した後、利用者入力により映像作品つづき再生機能を中断して楽曲ＩＤ配列に含まれる全楽曲を連続して演奏しなかった場合、当該映像作品については、使用期間内において、その後、楽曲ＩＤ配列に含まれるが楽曲が演奏対象になった場合でも映像作品つづき再生機能を起動しないようにしてもよい。あるいは、起動するか否かを問う案内画面を表示してもよい。
【００３１】
＝＝＝映像作品について＝＝＝
映像作品の内容としては、利用者が映像作品のつづきを見たいと思うような内容であればどのようなものであってもよい。それによって、音楽の演奏を楽しみながら、演奏されている音楽とは直接的に関係がない映像を楽しむことができる。映像作品は、ストーリー性のある長時間分の映像であってもよいが、映像作品の先頭から再生しない場合では、利用者はストーリー自体を理解することが難しくなるし、結末を先に知ってしまうことになり興ざめとなってしまう。しかし、「世界遺産」など映像美自体を楽しむ作品であればストーリー性は必要ない。
【００３２】
あるいは、クイズに答えを含む内容であってもよい。例えば、クイズの解答用紙などをカラオケ店舗の店頭などに置いておき、１つの映像作品を最初から最後まで全て見ないと答えられないようにクイズの問題を出題する。利用者が正解を記載した解答用紙を店舗のフロントに提出すると、景品が貰える。このようにすれば、ストーリー性の有無にかかわらず、利用者は映像作品を最初から最後まで見ようという意欲がわく。そして、音楽映像再生装置の利用促進が図れる。
【００３３】
１つの映像作品や特定の複数の映像作品を見終えた段階で、音楽映像再生装置のディスプレイにクイズの問題を表示し、その答えを選曲装置で入力させるようにしてもよい。正解した場合は、さらに特典映像を表示したり、正解者のみが知りうる固有のコードを発生してそのコードを表示し、店舗のフロントにそのコードを告げて景品などをもらえたりする。このようなサービスも提供可能である。
【００３４】
１つの映像作品における楽曲ＩＤ配列に含ませる全楽曲を特定のアーティストの楽曲や、特定のアルバムに収録されている楽曲にすれば、特定のアーティストのＣＤや特定のＣＤアルバムの販促キャンペーンなどを展開することもできる。
【００３５】
＝＝＝楽曲や映像作品のデータベースについて＝＝＝
上記楽曲データベースはカラオケ楽曲を格納するものとしたが、ボーカル入りなどの通常の音楽データでもよく、映像を音楽とともに鑑賞することができる。
【００３６】
また、上記の楽音データベースや映像作品データベースはハードディスクに格納するものとしたが、通信ネットワークで接続されたサーバ装置に格納しておき再生すべきデータをダウンロードさせたりストリーミング再生させたりしてもよい。
【図面の簡単な説明】
【００３７】
【図１】本発明に係る音楽映像再生装置の一実施形態であるカラオケ装置の機能ブロック図である。
【図２】上記カラオケ装置が記憶する映像作品データベースの概略構造図である。
【図３】上記カラオケ装置における映像作品つづき機能に関わる情報処理の流れ図である。
【図４】上記映像作品つづき機能の起動中に上記カラオケ装置のディスプレイに表示される画面概略図である。
【図５】上記映像作品データベースにおけるある映像作品についての概略図である。
【図６】上記映像作品つづき機能の動作説明図である。
【図７】上記映像作品つづき機能のその他の動作例についての説明図である。
【符号の説明】
【００３８】
１  カラオケ装置
１１  中央制御部
１２  ハードディスク装置
１５  音声信号生成部
１７  映像制御部
１８  ディスプレイ
【図１】
2008225379.tif 000003
【図２】
2008225379.tif 000004
【図３】
2008225379.tif 000005
【図４】
2008225379.tif 000006
【図５】
2008225379.tif 000007
【図６】
2008225379.tif 000008
【図７】
2008225379.tif 000009